【事件の表示】
　平成１０年特許願第２０９４３５号「画像処理装置」拒絶査定不服審判事件〔平成１２年　２月１８日出願公開、特開２０００−　５０００７〕について、次のとおり審決する。
【結　論】
　本件審判の請求は、成り立たない。
【理　由】
第１　手続きの経緯
　本願は、平成１０年７月２４日の出願であって、平成１８年５月１０日付けで拒絶査定がされ、これに対して同年６月１５日に拒絶査定不服審判が請求されるとともに、同年７月１８日に手続補正がなされたものである。
　
第２　平成１８年７月１８日付けの手続補正の却下について
　１　補正却下の決定の結論
　平成１８年７月１８日付けの手続補正を却下する。
　
　２　理由
　（１）　補正後の本願発明
　本件補正により、特許請求の範囲は次のとおり補正された。
「【請求項１】　ケースと、このケースの底部に取り付けられ、上記ケースの側面からはみ出すはみ出し部を有する基板と、上記ケースの上部に取り付けられた透明カバー上に移送された原稿の画像を１ライン分ずつ一定の主走査方向に読み取ってからその読み取り画像データを出力するために、上記基板の片面における上記ケースで囲まれた領域に列状に搭載された複数の受光素子と、上記透明カバー上に移送された原稿を照明するために、上記基板の片面における上記ケースで囲まれた領域に搭載された光源と、プリント画像データを記録紙に対して１ライン分ずつ印字出力するために、上記基板における上記はみ出し部の上記片面上に上記複数の受光素子と略平行な列状に搭載された複数の印字用素子と、を備えた画像読み書き一体ヘッドと、
　上記原稿を上記透明カバー上の画像読み取り対象領域に移送する原稿移送手段と、
　上記記録紙を上記複数の印字用素子による画像形成領域に対して上記画像読み取り対象領域への原稿移送方向と同方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序で上記主走査方向に配列されるように構成されていることを特徴とする、画像処理装置。
　【請求項２】　上記複数の受光素子から出力された読み取り画像データに基づいて上記プリント画像データを作成する画像データ処理手段を具備しており、
　上記画像読み書き一体ヘッドは、上記画像データ処理手段から上記プリント画像データを１ライン分受信したときにそのプリント画像データをその受信順序通りに上記複数の印字用素子と同方向の配列でシリアルに記憶可能なシフトレジスタを具備しているとともに、上記複数の印字用素子は、上記シフトレジスタに記憶された上記プリント画像データに対応してオン・オフ制御されることにより上記記録紙への画像データの印字出力が可能に構成されており、かつ、
　上記シフトレジスタに対する上記プリント画像データの入力方向は、上記主走査方向とは逆方向とされている、請求項１に記載の画像処理装置。
　【請求項３】　ケースと、このケースの底部に取り付けられ、上記ケースの側面からはみ出すはみ出し部を有する基板と、上記ケースの上部に取り付けられた透明カバー上に導入された原稿の画像を１ライン分ずつ一定の主走査方向に読み取ってからその読み取り画像データを出力するために、上記基板の片面における上記ケースで囲まれた領域に列状に搭載された複数の受光素子と、上記透明カバー上に移送された原稿を照明するために、上記基板の片面における上記ケースで囲まれた領域に搭載された光源と、プリント画像データを記録紙に対して１ライン分ずつ印字出力するために、上記基板における上記はみ出し部の上記片面上に上記複数の受光素子と略平行な列状に搭載された複数の印字用素子と、を備えた画像読み書き一体ヘッドと、
　上記原稿を上記透明カバー上の画像読み取り対象領域に移送する原稿移送手段と、
　上記記録紙を上記複数の印字用素子による画像形成領域に対して上記画像読み取り対象領域への原稿移送方向とは逆方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序とは逆の順序で上記主走査方向に配列されるように構成されていることを特徴とする、画像処理装置。
　【請求項４】　上記複数の受光素子から出力された読み取り画像データに基づいて上記プリント画像データを作成する画像データ処理手段を具備しており、
　上記画像読み書き一体ヘッドは、上記画像データ処理手段から上記プリント画像データを１ライン分受信したときにそのプリント画像データをその受信順序通りに上記複数の印字用素子と同方向の配列でシリアルに記憶可能なシフトレジスタを具備しているとともに、上記複数の印字用素子は、上記シフトレジスタに記憶された上記プリント画像データに対応してオン・オフ制御されることにより上記記録紙への画像データの印字出力が可能に構成されており、かつ、
　上記シフトレジスタに対する上記プリント画像データの入力方向は、上記主走査方向と同一の方向とされている、請求項３に記載の画像処理装置。
　【請求項５】　上記複数の印字用素子は、ストローブ信号の出力時に駆動するように構成されており、かつ上記複数の受光素子は、上記ストローブ信号の出力時にのみ上記原稿の画像読み取りを行うように構成されている、請求項１ないし４のいずれかに記載の画像処理装置。」
　
　（２）　補正前の本願発明
　本件補正前である拒絶査定時の特許請求の範囲（平成１８年３月１３日付け手続補正書）に記載された発明（以下、「補正前発明」という。）は、次のとおりである。
「【請求項１】　ケースと、このケースの底部に取り付けられ、上記ケースの側面からはみ出すはみ出し部を有する基板と、上記ケースの上部に取り付けられた透明カバー上に移送された原稿の画像を１ライン分ずつ一定の主走査方向に読み取ってからその読み取り画像データを出力するために、上記基板の片面における上記ケースで囲まれた領域に列状に搭載された複数の受光素子と、プリント画像データを記録紙に対して１ライン分ずつ印字出力するために、上記基板における上記はみ出し部の上記片面上に上記複数の受光素子と略平行な列状に搭載された複数の印字用素子と、を備えた画像読み書き一体ヘッドと、
　上記原稿を上記透明カバー上の画像読み取り対象領域に移送する原稿移送手段と、
　上記記録紙を上記複数の印字用素子による画像形成領域に対して上記画像読み取り対象領域への原稿移送方向と同方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序で上記主走査方向に配列されるように構成されていることを特徴とする、画像処理装置。
　【請求項２】　上記複数の受光素子から出力された読み取り画像データに基づいて上記プリント画像データを作成する画像データ処理手段を具備しており、
　上記画像読み書き一体ヘッドは、上記画像データ処理手段から上記プリント画像データを１ライン分受信したときにそのプリント画像データをその受信順序通りに上記複数の印字用素子と同方向の配列でシリアルに記憶可能なシフトレジスタを具備しているとともに、上記複数の印字用素子は、上記シフトレジスタに記憶された上記プリント画像データに対応してオン・オフ制御されることにより上記記録紙への画像データの印字出力が可能に構成されており、かつ、
　上記シフトレジスタに対する上記プリント画像データの入力方向は、上記主走査方向とは逆方向とされている、請求項１に記載の画像処理装置。
　【請求項３】　ケースと、このケースの底部に取り付けられ、上記ケースの側面からはみ出すはみ出し部を有する基板と、上記ケースの上部に取り付けられた透明カバー上に導入された原稿の画像を１ライン分ずつ一定の主走査方向に読み取ってからその読み取り画像データを出力するために、上記基板の片面における上記ケースで囲まれた領域に列状に搭載された複数の受光素子と、プリント画像データを記録紙に対して１ライン分ずつ印字出力するために、上記基板における上記はみ出し部の上記片面上に上記複数の受光素子と略平行な列状に搭載された複数の印字用素子と、を備えた画像読み書き一体ヘッドと、
　上記原稿を上記透明カバー上の画像読み取り対象領域に移送する原稿移送手段と、
　上記記録紙を上記複数の印字用素子による画像形成領域に対して上記画像読み取り対象領域への原稿移送方向とは逆方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序とは逆の順序で上記主走査方向に配列されるように構成されていることを特徴とする、画像処理装置。
　【請求項４】　上記複数の受光素子から出力された読み取り画像データに基づいて上記プリント画像データを作成する画像データ処理手段を具備しており、
　上記画像読み書き一体ヘッドは、上記画像データ処理手段から上記プリント画像データを１ライン分受信したときにそのプリント画像データをその受信順序通りに上記複数の印字用素子と同方向の配列でシリアルに記憶可能なシフトレジスタを具備しているとともに、上記複数の印字用素子は、上記シフトレジスタに記憶された上記プリント画像データに対応してオン・オフ制御されることにより上記記録紙への画像データの印字出力が可能に構成されており、かつ、
　上記シフトレジスタに対する上記プリント画像データの入力方向は、上記主走査方向と同一の方向とされている、請求項３に記載の画像処理装置。
　【請求項５】　上記複数の印字用素子は、ストローブ信号の出力時に駆動するように構成されており、かつ上記複数の受光素子は、上記ストローブ信号の出力時にのみ上記原稿の画像読み取りを行うように構成されている、請求項１ないし４のいずれかに記載の画像処理装置。」
　
（３）　補正の適否
　本件補正は、補正前発明の請求項１及び３に記載された発明に、「上記透明カバー上に移送された原稿を照明するために、上記基板の片面における上記ケースで囲まれた領域に搭載された光源」をそれぞれ付加し、補正後の請求項１及び３に係る発明としたものである。
　しかしながら、補正後の請求項１に記載された「光源」は、補正前発明の請求項１に記載された発明を特定するために必要な事項ではないから、補正前発明の請求項１に記載された発明に、「上記透明カバー上に移送された原稿を照明するために、上記基板の片面における上記ケースで囲まれた領域に搭載された光源」を付加する補正は、補正前発明を特定するために必要な事項をさらに限定したものとはいえず、平成１８年改正前特許法１７条の２第４項２号に規定する特許請求の範囲の減縮に該当する補正とはいえない。
　また、当該補正が、請求項の削除、誤記の訂正、又は明りょうでない記載の釈明のいずれを目的としたものではないことは明らかである。
　したがって、本件補正は、平成１８年改正前特許法１７条の２第４項の規定に違反するものであり、同法１５９条１項で準用する同法５３条１項の規定により却下すべきものである。
　
　なお、本件補正が、本件補正前の発明を特定するために必要な事項を限定する補正であり、平成１８年改正前特許法１７条の２第４項２号の特許請求の範囲の減縮を目的とするものに該当するとした場合に、本件補正後の特許請求の範囲の請求項に記載された発明が特許出願の際独立して特許を受けることができるものであるか（平成１８年改正前特許法１７条の２第５項において準用する同法１２６条５項の規定に適合するか）について以下に検討する。
　
　（４）　特許法２９条２項に関する当審の判断
　（４−１）　引用例
　原査定の拒絶の理由で引用された特開昭６１−２８４１６０号公報（以下、「引用例１」という。）には次の事項が図面と共に開示されている。
　ア　「［実施例］
　第２図において、１はケーシングで、このケーシング１の上部には、原稿案内板２が設けられており、この原稿案内板２の上方に設置された回転ロール３により原稿４が送給される。上記原稿案内板２の下方には、回転ロール３と同方向に延びる直線状の光源５が設けられており、この光源５の光は、原稿案内板２の透孔２ａを通過して原稿４に照射され、原稿４で反射されて、１列に配設された光ファイバー６を介して伝送される。光ファイバー６を通過した光は、固定された複写機用ヘッド７の光センサ８上に照射され、ここで電気信号に変換された後、増幅回路９により増幅されて印字出力部１０に出力される。この印字部１０に対向して回転ロール３と同期して回転するローラ１１が設置され、ローラ１１と印字部１０との間をサーマルロール紙１２が送り込まれる。
　上記複写機用ヘッド７は、第１図に拡大して示すように、単一のセラミック基板２０の上に、上記光センサ８、導体層２１，２２、接続線２３、集積回路で構成された増幅回路９、接続線２４、導体層２５および印字出力部１０を１組とする入出力部を設けてなり、この入出力部と同一の構成の入出力部がサーマルロール紙１２（第２図）の移動方向と直交する方向に読み取り画素数と同数だけ同一ピッチ（たとえば１／８ｍｍ）で設けられ、いわゆるライン型のヘッドを構成している。すなわち、上記ヘッド７は、第３図のブロック図で示すように、１列に並んだ光センサ８同志が共通配線３０により、また印字出力部１０が共通配線３１によりそれぞれ接続されるとともに、各人出力部４０ａ、４０ｂ、４０ｃ・・・は、それぞれ同一ピッチだけ隔てて分離して設けられている。
　上記入出力部４０ａ、４０ｂ・・・の各回路は、第４図に示すように、光センサ８にトランジスタ９ａ、９ｂからなる増幅回路９が接続され、その出力側が印字出力部１０としての抵抗に接続された構成になっている。」（２ページ右上欄１０行ないし右下欄７行）
　イ　「上記構成において、第２図に示すロール３により送られた原稿４が光源５により照光されると、その反射光が光ファイバー６を介して伝送される。
光ファイバー６の端面からの光は、複写機用ヘッド７の光センサ８にそれぞれ１つの画素として入力され、ここで電気信号に変換されて各増幅回路９で増幅される。そして、出力側の印字出力部１０の抵抗で熱に変換されて、１列の複数の画素の濃淡としてサーマルロール紙１２上に印字される。
　すなわち、同一基板２０上に形成された複数の入出力部４０ａ、４０ｂ・・・（第３図）により、それぞれ１つの画素が読み取られ、それに対応して印字が行なわれることになる。」（３ページ右上欄９行ないし左下欄１行）
　ウ　第１図には、光センサ８と印字出力部１０とがセラミック基板２０の同じ片面に平行に搭載されていることが図示されていると認められる。
　エ　第２図には、印字部１０との間にサーマルロール紙１２を送り込むローラ１１が、サーマルロール紙１２を原稿移送方向と同方向に移送することが図示されていると認められる。
　
　上記アないしエの記載によると、引用例１には、「単一のセラミック基板２０の上に、光センサ８、集積回路で構成された増幅回路９、および印字出力部１０を１組とする入出力部を設けてなり、この入出力部と同一の構成の入出力部がサーマルロール紙１２の移動方向と直交する方向に読み取り画素数と同数だけ同一ピッチで設けられ、いわゆるライン型のヘッドである複写機用ヘッド７を構成し、光センサ８と印字出力部１０とがセラミック基板２０の同じ片面に平行に搭載され、
　原稿案内板２の上方に設置された、原稿４が送給される回転ロール３と、サーマルロール紙１２を原稿移送方向と同方向に移送する、印字部１０との間にサーマルロール紙１２を送り込むローラ１１と、を具備し、
　同一基板２０上に形成された複数の入出力部４０ａ、４０ｂ・・・により、それぞれ１つの画素が読み取られ、それに対応して印字が行なわれる複写機。」の発明（以下、「引用発明」という。）が記載されていると認められる。
　
　同じく、原査定の拒絶の理由で引用された特開平６−３１９０１３号公報（以下「引用例２」という。）には次の事項が図面と共に開示されている。（記載箇所は段落番号等で表示）
　オ　「【０００２】
【従来の技術】従来のイメージセンサの一例を図２（要部断面図）に示す。このイメージセンサでは、フレーム５０の上部に撮像対象物（例えば原稿）を当接させる透明カバー（ガラスカバー）５１が取付けられ、発光部となる発光素子５２を実装した光源基板５３がガラスカバー５１の面に対して傾斜角度を持ってフレーム５０に固定されている。又、ガラスカバー５１上の撮像対象物からの反射光を集光するための光学系であるロッドレンズアレイ５４が、ガラスカバー５１の面に対して垂直にフレーム５０に固定されている。更に、フレーム５０の下部には、受光部となる受光素子５５及び外部回路接続用のコネクタ５６を実装した受光基板５７が配備されている。」
　
　（４−２）　対比
　前記本件補正により補正された請求項１に記載された発明（以下、「本願補正発明」という。）と引用発明とを対比する。
　引用発明は、読み取った画素に対して増幅及び印字を行い、複写という画像処理を行うものであるから、本願補正発明と同じ「画像処理装置」に関するものといえる。
　引用発明の「単一のセラミック基板２０」は、本願補正発明の「基板」に相当する。
　引用発明の「光センサ８」及び「印字出力部１０」は、セラミック基板２０の同じ片面に平行に搭載され、また、それぞれ、記録紙といえるサーマルロール紙１２の移動方向と直交する方向、すなわち主走査方向に読み取り画素数と同数だけ同一ピッチで設けられ、いわゆるライン型のヘッドを構成し、それぞれが１ライン分ずつの画像データを出力することは明らかであるから、本願補正発明の「移送された原稿の画像を１ライン分ずつ一定の主走査方向に読み取ってからその読み取り画像データを出力するために、基板の片面に」「列状に搭載された複数の受光素子」、及び、「プリント画像データを記録紙に対して１ライン分ずつ印字出力するために、基板」「の片面上に複数の受光素子と略平行な列状に搭載された複数の印字用素子」にそれぞれ相当する。
　引用発明の「光センサ８」及び「印字出力部１０」を設けた「複写機用ヘッド７」は、本願補正発明の「画像読み書き一体ヘッド」に相当する。
　引用発明の「原稿案内板２の上方に設置された、原稿４が送給される回転ロール３」は、原稿４を原稿読み取り対象領域といえる原稿案内板２の透孔２ａに移送する手段であることは前掲アの記載から明らかであるから、本願補正発明の「原稿を」「画像読み取り対象領域に移送する原稿移送手段」に相当する。
　サーマルロール紙１２が移送され印字が行われる印字部１０は画像形成領域といえるから、引用発明の「サーマルロール紙１２を原稿移送方向と同方向に移送する、印字部１０との間にサーマルロール紙１２を送り込むローラ１１」は、本願補正発明の「記録紙を複数の印字用素子による画像形成領域に対して画像読み取り対象領域への原稿移送方向と同方向に移送する記録紙移送手段」に相当する。
　引用発明は、同一基板２０上に形成された複数の入出力部４０ａ、４０ｂ・・・により、それぞれ１つの画素が読み取られ、それに対応して印字が行なわれるものであるから、「複数の受光素子から出力された読み取り画像データに基づいて作成されたプリント画像データが複数の印字用素子によって１ライン分ずつ印字出力されるときには、プリント画像データを構成する複数の画素データが、これに対応する読み取り画像データの複数の画素データが読み取られた順序で主走査方向に配列されるように構成されている」といえる。
　
　以上を踏まえると、両者の一致点及び相違点は以下のとおりである。
【一致点】
　基板と、移送された原稿の画像を１ライン分ずつ一定の主走査方向に読み取ってからその読み取り画像データを出力するために、上記基板の片面に列状に搭載された複数の受光素子と、プリント画像データを記録紙に対して１ライン分ずつ印字出力するために、上記基板の上記片面上に上記複数の受光素子と略平行な列状に搭載された複数の印字用素子と、を備えた画像読み書き一体ヘッドと、
　上記原稿を画像読み取り対象領域に移送する原稿移送手段と、
　上記記録紙を上記複数の印字用素子による画像形成領域に対して上記画像読み取り対象領域への原稿移送方向と同方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序で上記主走査方向に配列されるように構成されている画像処理装置。
　
【相違点】
　本願発明が、画像読み書き一体ヘッドに「ケース」を備え、基板が「ケースの側面からはみ出すはみ出し部を有する」ように「ケースの底部に取り付けられ」、「ケースの上部に取り付けられた透明カバー上に」移送された原稿の画像を読み取るために、受光素子が基板の片面「におけるケースで囲まれた領域」に搭載され、印字用素子が、基板「におけるはみ出し部」の片面上に搭載され、原稿移送手段が原稿を「透明カバー上の」画像読み取り対象領域に移送するものであり、さらに、画像読み書き一体ヘッドに「透明カバー上に移送された原稿を照明するために、基板の片面におけるケースで囲まれた領域に搭載された光源」を備えているのに対し、引用発明が、画像読み書き一体ヘッドに「ケース」及び「光源」を備えず、読み取る原稿が原稿案内板２に移送されるものである点。
　
　（４−３）　当審の判断
　上記相違点について検討する。
　「ケース」を備え、基板が「ケースの底部に取り付けられ」、「ケースの上部に取り付けられた透明カバー上に」移送された原稿の画像を読み取るために、受光素子が基板の片面「におけるケースで囲まれた領域」に搭載され、原稿移送手段が原稿を「透明カバー上の」画像読み取り対象領域に移送し、さらに「透明カバー上に移送された原稿を照明するために、基板の片面におけるケースで囲まれた領域に搭載された光源」を備えたイメージセンサは、特開平４−７００５３号公報、特開平３−４８５６６号公報、特開平７−４６３７４号公報、実願平１−１５０６３４号のマイクロフィルム（実開平３−９０１６４号公報）などに示されるように周知技術であるから、原稿の画像を読み取るという共通の技術分野に属する引用発明の複写機用ヘッド７におけるイメージセンサを構成する部分に前記周知技術を適用し、画像読み書き一体ヘッドに「ケース」を備え、基板が「ケースの底部に取り付けられ」、「ケースの上部に取り付けられた透明カバー上に」移送された原稿の画像を読み取るために、受光素子が基板の片面「におけるケースで囲まれた領域」に搭載され、原稿移送手段が原稿を「透明カバー上の」画像読み取り対象領域に移送し、さらに、画像読み書き一体ヘッドに「透明カバー上に移送された原稿を照明するために、基板の片面におけるケースで囲まれた領域に搭載された光源」を備えることは、当業者が容易に想到し得る事項といえる。
　そして、読み込んだ画素の信号を抵抗で熱に変換し、サーマルロール紙１２上に画素の濃淡として印字するための、引用発明の印字出力部１０をケースで覆わずに使用することは当業者にとって自明の事項であるから、基板の光センサ８が搭載された面と同じ面に形成された印字出力部１０を覆わないように、基板が「ケースの側面からはみ出すはみ出し部を有する」ようにケースの底部に取り付けられ、印字用素子が基板「におけるはみ出し部」の片面上に搭載されることは、当業者が引用発明に前記周知技術を適用する際に当然になし得る事項といえる。
　
　一方、本願補正発明の奏する効果は、引用例１に記載された発明、及び前記周知技術から想定できる程度のものにすぎず、格別なものとはいえない。
　
　したがって、本願補正発明は、引用例１に記載された発明、及び前記周知技術に基づいて、当業者が容易に発明をすることができたものであるから、特許法２９条２項の規定により特許出願の際独立して特許を受けることができないものである。
　
　（５）　むすび
　前記（４）で検討したとおり、本件補正が、本件補正前の発明を特定するために必要な事項を限定する補正であり、平成１８年改正前特許法１７条の２第４項２号の特許請求の範囲の減縮を目的とするものに該当するとしても、本件補正は、平成１８年改正前特許法１７条の２第５項で準用する同法１２６条５項の規定に違反するものであり、特許法１５９条１項で準用する同法５３条１項の規定により却下すべきものである。
　
第３　本願発明について
　１　平成１８年７月１８日付けの手続補正は上記のとおり却下されたので、本願の請求項１に係る発明（以下、「本願発明」という。）は、前記「第２　２（２）」に記載した平成１８年３月１３日付けで補正された特許請求の範囲の請求項１に記載されたとおりのものである。
　
　２　引用例
　原査定の拒絶の理由に引用された引用例、及びその記載事項は、前記「第２　（４−１）」に記載したとおりである。
　
　３　対比
　本願発明と前記「第２　（４−１）」に記載した引用発明とを対比する。
　引用発明は、読み取った画素に対して増幅及び印字を行い、複写という画像処理を行うものであるから、本願発明と同じ「画像処理装置」に関するものといえる。
　引用発明の「単一のセラミック基板２０」は、本願発明の「基板」に相当する。
　引用発明の「光センサ８」及び「印字出力部１０」は、セラミック基板２０の同じ片面に平行に搭載され、また、それぞれ、記録紙といえるサーマルロール紙１２の移動方向と直交する方向、すなわち主走査方向に読み取り画素数と同数だけ同一ピッチで設けられ、いわゆるライン型のヘッドを構成し、それぞれが１ライン分ずつの画像データを出力することは明らかであるから、本願発明の「移送された原稿の画像を１ライン分ずつ一定の主走査方向に読み取ってからその読み取り画像データを出力するために、基板の片面に」「列状に搭載された複数の受光素子」、及び、「プリント画像データを記録紙に対して１ライン分ずつ印字出力するために、基板」「の片面上に複数の受光素子と略平行な列状に搭載された複数の印字用素子」にそれぞれ相当する。
　引用発明の「光センサ８」及び「印字出力部１０」を設けた「複写機用ヘッド７」は、本願発明の「画像読み書き一体ヘッド」に相当する。
　引用発明の「原稿案内板２の上方に設置された、原稿４が送給される回転ロール３」は、原稿４を原稿読み取り対象領域といえる原稿案内板２の透孔２ａに移送する手段であることは前掲アの記載から明らかであるから、本願発明の「原稿を」「画像読み取り対象領域に移送する原稿移送手段」に相当する。
　サーマルロール紙１２が移送され印字が行われる印字部１０は画像形成領域といえるから、引用発明の「サーマルロール紙１２を原稿移送方向と同方向に移送する、印字部１０との間にサーマルロール紙１２を送り込むローラ１１」は、本願発明の「記録紙を複数の印字用素子による画像形成領域に対して画像読み取り対象領域への原稿移送方向と同方向に移送する記録紙移送手段」に相当する。
　引用発明は、同一基板２０上に形成された複数の入出力部４０ａ、４０ｂ・・・により、それぞれ１つの画素が読み取られ、それに対応して印字が行なわれるものであるから、「複数の受光素子から出力された読み取り画像データに基づいて作成されたプリント画像データが複数の印字用素子によって１ライン分ずつ印字出力されるときには、プリント画像データを構成する複数の画素データが、これに対応する読み取り画像データの複数の画素データが読み取られた順序で主走査方向に配列されるように構成されている」といえる。
　
　以上を踏まえると、両者の一致点及び相違点は以下のとおりである。
【一致点】
　基板と、移送された原稿の画像を１ライン分ずつ一定の主走査方向に読み取ってからその読み取り画像データを出力するために、上記基板の片面に列状に搭載された複数の受光素子と、プリント画像データを記録紙に対して１ライン分ずつ印字出力するために、上記基板の上記片面上に上記複数の受光素子と略平行な列状に搭載された複数の印字用素子と、を備えた画像読み書き一体ヘッドと、
　上記原稿を画像読み取り対象領域に移送する原稿移送手段と、
　上記記録紙を上記複数の印字用素子による画像形成領域に対して上記画像読み取り対象領域への原稿移送方向と同方向に移送する記録紙移送手段と、を具備しており、かつ
　上記複数の受光素子から出力された読み取り画像データに基づいて作成された上記プリント画像データが上記複数の印字用素子によって１ライン分ずつ印字出力されるときには、上記プリント画像データを構成する複数の画素データが、これに対応する読み取り画像データの複数の画素データが読み取られた順序で上記主走査方向に配列されるように構成されている画像処理装置。
　
【相違点】
　本願発明が、画像読み書き一体ヘッドに「ケース」を備え、基板が「ケースの側面からはみ出すはみ出し部を有する」ように「ケースの底部に取り付けられ」、「ケースの上部に取り付けられた透明カバー上に」移送された原稿の画像を読み取るために、受光素子が基板の片面「におけるケースで囲まれた領域」に搭載され、印字用素子が、基板「におけるはみ出し部」の片面上に搭載され、原稿移送手段が原稿を「透明カバー上の」画像読み取り対象領域に移送するものであるのに対し、引用発明が、画像読み書き一体ヘッドに「ケース」を備えず、読み取る原稿が原稿案内板２に移送されるものである点。
　
　４　当審の判断
　上記相違点について検討する。
　「ケース」を備え、基板が「ケースの底部に取り付けられ」、「ケースの上部に取り付けられた透明カバー上に」移送された原稿の画像を読み取るために、受光素子が基板の片面「におけるケースで囲まれた領域」に搭載され、原稿移送手段が原稿を「透明カバー上の」画像読み取り対象領域に移送するイメージセンサは、引用例２に示されるように公知技術であるから、原稿の画像を読み取るという共通の技術分野に属する引用発明の複写機用ヘッド７におけるイメージセンサを構成する部分に前記公知技術を適用し、画像読み書き一体ヘッドに「ケース」を備え、基板が「ケースの底部に取り付けられ」、「ケースの上部に取り付けられた透明カバー上に」移送された原稿の画像を読み取るために、受光素子が基板の片面「におけるケースで囲まれた領域」に搭載され、原稿移送手段が原稿を「透明カバー上の」画像読み取り対象領域に移送するとすることは、当業者が容易に想到し得る事項といえる。
　そして、読み込んだ画素の信号を抵抗で熱に変換し、サーマルロール紙１２上に画素の濃淡として印字するための、引用発明の印字出力部１０をケースで覆わずに使用することは当業者にとって自明の事項であるから、基板の光センサ８が搭載された面と同じ面に形成された印字出力部１０を覆わないように、基板が「ケースの側面からはみ出すはみ出し部を有する」ようにケースの底部に取り付けられ、印字用素子が「基板におけるはみ出し部の」片面上に搭載されることは、当業者が引用発明に前記公知技術を適用する際に当然になし得る事項といえる。
　
　一方、本願発明の奏する効果は、引用例１及び２に記載された発明から想定できる程度のものにすぎず、格別なものとは認められない。
　
　５　むすび
　以上のとおり、本願発明は、引用例１及び２に記載された発明に基づいて、当業者が容易に発明をすることができたものであるから、特許法２９条２項の規定により特許を受けることができない。
　したがって、本願は、他の請求項について検討するまでもなく拒絶すべきものである。
　よって、結論のとおり審決する。